(57)【要約】【課題】装着後においても締め付け度合の調整を容易に行うことが可能な腰部装着ベルトを提供する。【解決手段】本願発明にかかる腰部装着ベルトは、  装着者の腰部に装着される腰部装着ベルトであって、所定の位置に配置されたワイヤ巻き取り部と、ワイヤ巻き取り部と対向する位置に配置された第１のワイヤガイド部と、ワイヤ巻き取り部と第１のワイヤガイド部の間を接続するワイヤ部とから構成される締め付け機構を備え、ワイヤ巻き取り部は、前記ワイヤ部を巻き取るスプール部を備え、第１のワイヤガイド部は、前記ワイヤ部をガイドする少なくとも１つの第１のガイド部材を備える。【選択図】図１
2020143401.tif 000002
【特許請求の範囲】
【請求項１】
装着者の腰部に装着される腰部装着ベルトであって、
所定の位置に配置されたワイヤ巻き取り部と、前記ワイヤ巻き取り部と対向する位置に配置された第１のワイヤガイド部と、前記ワイヤ巻き取り部と前記第１のワイヤガイド部の間を接続するワイヤ部とから構成される締め付け機構を備え、
前記ワイヤ巻き取り部は、前記ワイヤ部を巻き取るスプール部を備え、
前記第１のワイヤガイド部は、前記ワイヤ部をガイドする少なくとも１つの第１のガイド部材を備える
腰部装着ベルト。
【請求項２】
前記ワイヤ巻き取り部は、前記ワイヤ部をガイドする少なくとも１つの第２のガイド部材を備え、
前記締め付け機構は、
前記スプール部及び前記第２のガイド部材と、
前記スプール部及び前記第２のガイド部材と対向する位置に配置された前記第１のガイド部材と、
前記スプール部及び前記第２のガイド部材と、前記第１のガイド部材の間を接続する前記ワイヤ部とから構成される
請求項１に記載の腰部装着ベルト。
【請求項３】
前記腰部装着ベルトの一部は、他の部分に比べて柔軟性の高い素材からなるバンド部から構成され、
前記バンド部は、前記ワイヤ巻き取り部と前記第１のワイヤガイド部の間に配置される
請求項１または２記載の腰部装着ベルト。
【請求項４】
前記ワイヤ巻き取り部と前記第１のワイヤガイド部の間に配置され、前記ワイヤ部をガイドする少なくとも１つの第３のガイド部材を備えた第２のワイヤガイド部を備え、
前記締め付け機構は、
前記ワイヤ巻き取り部と、前記第１のワイヤガイド部と、前記第２のワイヤガイド部と、前記ワイヤ巻き取り部と前記第２のワイヤガイド部の間、および前記第１のワイヤガイド部と前記第２のワイヤガイド部の間を接続する前記ワイヤ部とから構成される
請求項１または２に記載の腰部装着ベルト。
【請求項５】
前記腰部装着ベルトの一部は、他の部分に比べて柔軟性の高い素材からなるバンド部から構成され、
前記バンド部は、前記ワイヤ巻き取り部と前記第２のワイヤガイド部の間、及び前記第１のワイヤガイド部と前記第２のワイヤガイド部の間の少なくともいずれかに配置される
請求項４に記載の腰部装着ベルト。
【発明の詳細な説明】
【技術分野】
【０００１】
本願発明は、装着者の腰部に装着する腰部装着ベルトに関する。
【背景技術】
【０００２】
従来から身体の腰部に装着することで、装着者の骨盤を安定させて腰痛を予防・治療等するための腰部サポータが提案されている（例えば、特許文献１−４参照）。特許文献１−４の腰部装着ベルトでは、腰部への締め付け過ぎを防止して、装着感を良くするための補助ベルトを設けたり、装着後の位置ずれを防止するための補強ベルトを設けたりする等の改良がなされている。
【先行技術文献】
【特許文献】
【０００３】
【特許文献１】特開２０１０−２０７４３６号公報
【特許文献２】特開２０１５−１３９６０５号公報
【特許文献３】特開２０１６−０６７８７０号公報
【特許文献４】特開２０１５−１３９６０５号公報
【発明の概要】
【発明が解決しようとする課題】
【０００４】
特許文献１−４の腰部装着ベルトでは、締め付け過ぎを防止して、装着感を良くするための補助ベルトを設けたり、装着後の位置ずれを防止するための補強ベルトを設けたりする等の改良がなされているものの、装着者が装着後において所定の作業や動作を行ったこと等により、腰部装着ベルトの腰部への密着度合が変更されたような場合には、一旦ベルトを取り外して再度締め直すことが必要となるため、装着者が行う作業等の妨げとなる場合があった。
【０００５】
本願発明は、このような課題を解決するためになされたものであり、装着後においても腰部への締め付け度合の調整を容易に行うことが可能な腰部装着ベルトを提供することを目的とする。
【課題を解決するための手段】
【０００６】
このような目的を達成するために、本願発明に係る腰部装着ベルトは、装着者の腰部に装着される腰部装着ベルトであって、所定の位置に配置されたワイヤ巻き取り部と、前記ワイヤ巻き取り部と対向する位置に配置された第１のワイヤガイド部と、前記ワイヤ巻き取り部と前記第１のワイヤガイド部の間を接続するワイヤ部とから構成される締め付け機構を備え、前記ワイヤ巻き取り部は、前記ワイヤ部を巻き取るスプール部を備え、前記第１のワイヤガイド部は、前記ワイヤ部をガイドする少なくとも１つの第１のガイド部材を備える。
【０００７】
前記ワイヤ巻き取り部は、前記ワイヤ部をガイドする少なくとも１つの第２のガイド部材を備え、前記締め付け機構は、前記スプール部及び前記第２のガイド部材と、前記スプール部及び前記第２のガイド部材と対向する位置に配置された前記第１のガイド部材と、前記スプール部及び前記第２のガイド部材と、前記第１のガイド部材の間を接続する前記ワイヤ部とから構成されてもよい。
【０００８】
前記腰部装着ベルトの一部は、他の部分に比べて柔軟性の高い素材からなるバンド部から構成され、前記バンド部は、前記ワイヤ巻き取り部と前記第１のワイヤガイド部の間に配置されてもよい。
【０００９】
前記ワイヤ巻き取り部と前記第１のワイヤガイド部の間に配置され、前記ワイヤ部をガイドする少なくとも１つの第３のガイド部材を備えた第２のワイヤガイド部を備え、前記締め付け機構は、前記ワイヤ巻き取り部と、前記第１のワイヤガイド部と、前記第２のワイヤガイド部と、前記ワイヤ巻き取り部と前記第２のワイヤガイド部の間、および前記第１のワイヤガイド部と前記第２のワイヤガイド部の間を接続する前記ワイヤ部とから構成されてもよい。
【００１０】
前記腰部装着ベルトの一部は、他の部分に比べて柔軟性の高い素材からなるバンド部から構成され、前記バンド部は、前記ワイヤ巻き取り部と前記第２のワイヤガイド部の間、及び前記第１のワイヤガイド部と前記第２のワイヤガイド部の間の少なくともいずれかに配置されてもよい。
【発明の効果】
【００１１】
本願発明によれば、装着後においても腰部への締め付け度合の調整を容易に行うことが可能な腰部装着ベルトを提供することができる。
【図面の簡単な説明】
【００１２】
【図１】図１は、腰部装着ベルトの構成例を示す図である。
【図２】図２は、腰部装着ベルトの他の構成例を示す図である。
【図３】図３は、腰部装着ベルトの他の構成例を示す図である。
【図４】図４は、腰部装着ベルトの他の構成例を示す図である。
【図５】図５は、腰部装着ベルトの他の構成例を示す図である。
【図６】図６は、腰部装着ベルトの他の構成例を示す図である。
【図７】図７は、腰部装着ベルトの他の構成例を示す図である。
【図８】図８は、腰部装着ベルトの他の構成例を示す図である。
【図９】図９は、腰部装着ベルトの他の構成例を示す図である。
【図１０】図１０は、腰部装着ベルトの他の構成例を示す図である。
【図１１】図１１は、腰部装着ベルトの他の構成例を示す図である。
【図１２】図１２は、腰部装着ベルトの他の構成例を示す図である。
【図１３】図１３は、腰部装着ベルトの他の構成例を示す図である。
【図１４】図１４は、腰部装着ベルトの他の構成例を示す図である。
【図１５】図１５は、腰部装着ベルトの他の構成例を示す図である。
【図１６】図１６は、腰部装着ベルトの他の構成例を示す図である。
【図１７】図１７は、腰部装着ベルトの他の構成例を示す図である。
【図１８】図１８は、腰部装着ベルトの他の構成例を示す図である。
【図１９】図１９は、装着者に装着された腰部装着ベルトの構成例を示す図である。
【図２０】図２０は、装着者に装着された腰部装着ベルトの他の構成例を示す図である。
【図２１】図２１は、腰部装着ベルトの他の構成例を示す図である。
【図２２】図２２は、腰部装着ベルトの他の構成例を示す図である。
【図２３】図２３は、背骨部材を備えた腰部装着ベルトの構成例を示す図である。
【図２４】図２４は、背骨部材を備えた腰部装着ベルトの他の構成例を示す図である。
【図２５】図２５は、背骨部材を備えた腰部装着ベルトの他の構成例を示す図である。
【図２６】図２６は、背骨部材を備えた腰部装着ベルトの他の構成例を示す図である。
【図２７】図２７は、腰部装着ベルトを備えたアシストスーツの構成例を示す図である。
【図２８】図２８は、腰部装着ベルトを備えたアシストスーツの他の構成例を示す図である。
【図２９】図２９は、装着者に装着されたアシストスーツの構成例を示す図である。
【発明を実施するための形態】
【００１３】
本願発明の実施形態について図面を参照して説明する。本願発明は、様々な実施形態で実施することが可能であり、以下に説明する実施形態に限定されるものではない。
【００１４】
＜腰部装着ベルトの他の構成例＞
図１は、腰部装着ベルトの構成例を示す図である。腰部装着ベルト１は、装着者の腰部に巻き付けることにより装着者の腰部に装着されるものである。腰部装着ベルト１は、装着者の腰部の形状や大きさに合わせて、左右のバンドの先端部の重なり度合を調整することにより腰部に密着するように装着・固定することができる。腰部装着ベルト１の左右のバンドの先端部の固定は、例えば、面テープ、面ファスナー等の公知の構成により行うことができる。
【００１５】
本願発明の腰部装着ベルト１は、腰部に装着した後において締め付け度合の調整が可能な締め付け機構１０を備える。この締め付け機構１０は、腰部装着ベルト１の所定の位置に配置されたワイヤ巻き取り部２０と、ワイヤ巻き取り部２０と対向する位置に配置されたワイヤガイド部３０（第１のワイヤガイド部）と、ワイヤ巻き取り部２０とワイヤガイド部３０の間を接続するワイヤ部５０とから構成されている。
【００１６】
図１の構成例では、ワイヤ巻き取り部２０は、ワイヤガイド部３０のガイド部材３１によってガイドされたワイヤ部５０を巻き取るスプール部２１を備え、ワイヤガイド部３０は、ワイヤ部５０をガイドするガイド部材３１（第１のガイド部材）を備えている。スプール部２１を回転させて、スプール部２１がガイド部材３１によってガイドされたワイヤ部５０を巻き取ることにより、腰部装着ベルト１を装着した装着者の腰部への締め付け度合を調整できるように構成されている。このスプール部２１は、ワイヤ部５０を巻き取った状態で固定できるような機構を備えている。
【００１７】
スプール部２１を備えたワイヤ巻き取り部２０、ガイド部材３１を備えたワイヤガイド部３０、スプール部２１とガイド部材３１の間を接続するワイヤ部５０を備えることにより、装着者は、スプール部２１を回転させるだけで締め付け度合の調整を行うことができるので、腰部装着ベルト１の左右のバンドの先端部を取り外して再度締め直すことなく、腰部に装着した後においても腰部装着ベルト１の締め付け度合の調整を簡単に行うことが可能となる。
【００１８】
図１の構成例に示すように、腰部装着ベルト１は、腰部装着ベルト１の一部であってワイヤ巻き取り部２０とワイヤガイド部３０の間に、腰部装着ベルト１の他の部分に比べて柔軟性の高い素材からなるバンド部６０を配置するように構成してもよい。このような構成にすることで、スプール部２１がワイヤ部５０を巻き取った際に、柔軟性の高いバンド部６０が容易に収縮した状態となるので、腰部装着ベルト１の締め付け度合の調整をより簡単に行うことが可能となる。さらに、バンド部６０に柔軟性の高い素材を使用することで、バンド部６０が収縮・変形することによる装着者における腰部装着ベルト１の装着感の悪化を防ぐことも可能となる。
ワイヤ巻き取り部２０とワイヤガイド部３０の間に複数のバンド部６０を配置するように構成してもよい。
【００１９】
＜腰部装着ベルトの他の構成例＞
図２−１１は、腰部装着ベルトの他の構成例を示す図である。図２−１１の構成例では、図１と同様に、腰部装着ベルト１は、ワイヤ巻き取り部２０、ワイヤガイド部３０、及びワイヤ部５０を備え、ワイヤ巻き取り部２０とワイヤガイド部３０の間に、腰部装着ベルト１の他の部分に比べて柔軟性の高い素材からなるバンド部６０が配置されている。
【００２０】
図２−１１の構成例では、ワイヤ巻き取り部２０が、スプール部２１とガイド部材（２２−２６）（第２のガイド部材）から構成されている。さらに、図３、４、７、８、１０、１１の構成例では、ワイヤガイド部３０が、複数のガイド部材（３１−３３）から構成されている。
【００２１】
図５−１１の構成例では、ワイヤ巻き取り部２０において、スプール部２１とガイド部材（２２−２５）が所定の距離だけ離れた位置に配置されている。このような構成により、装着者によるスプール部２１の操作が容易な構成が実現可能となる。
【００２２】
図９−１１の構成例では、さらに、スプール部２１とガイド部材（２２−２４）の間に別のガイド部材２６が配置され、２本のワイヤ部が束ねてガイドされている。このような構成により、腰部装着ベルト１に背骨部材を連結した場合においても、装着者によるスプール部２１の操作が容易な構成が実現可能となる。
【００２３】
図１２−１８は、腰部装着ベルトの他の構成例を示す図である。図１２−１８の構成例では、図１−１１の構成例に加えて、腰部装着ベルト１は、ワイヤ巻き取り部２０とワイヤガイド部３０の間に、ワイヤガイド部４０（第２のワイヤガイド部）を備える。ワイヤガイド部４０は、ワイヤ部５０をガイドするガイド部材（４１−４４）（第３のガイド部材）を備えている。
【００２４】
ワイヤガイド部４０では、ワイヤ部５０が腰部装着ベルト１から離間した状態にならないように、ガイド部材（４１−４４）がワイヤ部５０をガイドするように構成されている。図１２、１５の構成例に示すように、２本のガイド部材（４１、４２）のそれぞれが、ワイヤ部５０をガイドするように構成してもよいし、図１３、１４、１６−１８の構成例のように、１本のガイド部材４１が、２本のワイヤ部５０を束ねてガイドするように構成してもよい。
【００２５】
図１２−１８の構成例では、腰部装着ベルト１は、ワイヤ巻き取り部２０とワイヤガイド部４０の間、及びワイヤガイド部３０とワイヤガイド部４０の間に、他の部分に比べて柔軟性の高い素材からなるバンド部６０が配置されている。このバンド部６０は、ワイヤ巻き取り部２０とワイヤガイド部４０の間、及びワイヤガイド部３０とワイヤガイド部４０の間のいずれか一方に配置するように構成してもよい。ワイヤ巻き取り部２０とワイヤガイド部４０の間、及びワイヤガイド部３０とワイヤガイド部４０の間の少なくともいずれかに複数のバンド部６０を配置するように構成してもよい。
【００２６】
このようなバンド部６０の配置により、スプール部２１がワイヤ部５０を巻き取った際に、柔軟性の高いバンド部６０が容易に収縮した状態となるので、腰部装着ベルト１の締め付け度合の調整をより簡単に行うことが可能となり、バンド部６０に柔軟性の高い素材を使用することで、バンド部６０が収縮・変形することによる装着者における腰部装着ベルト１の装着感の悪化を防ぐことも可能となる。
【００２７】
図１４−１８の構成例に示すように、ワイヤ巻き取り部２０が、スプール部２１とガイド部材２２とから構成されていてもよい。さらに、図１５、１６、１８に示すように、ワイヤガイド部３０が、複数のガイド部材（３４、３５）から構成されてもよい。
【００２８】
また、図１７、１８の構成例に示すように、ワイヤ巻き取り部２０において、スプール部２１とガイド部材２２を所定の距離だけ離れた位置に配置し、スプール部２１とガイド部材２２の間に別のガイド部材２７を配置し、ガイド部材２７が２本のワイヤ部５０を束ねてガイドするように構成してもよい。このような構成により、装着者によるスプール部２１の操作が容易な構成が実現可能となる。
【００２９】
＜装着された腰部装着ベルトの構成例＞
図１９、２０は、装着者に装着された腰部装着ベルトの構成例を示す図である。図１９の構成例は、図１の腰部装着ベルト１を装着者２００に装着したものであり、図２０の構成例は、図１２の腰部装着ベルト１を装着者２００に装着したものである。他の腰部装着ベルト１についても、同様な態様で装着者２００の腰部に装着することができる。
【００３０】
腰部装着ベルト１は、装着者２００の腰部に巻き付けることにより装着者２００の腰部に装着されるものである。装着者２００の腰部の形状や大きさに合わせて、腰部装着ベルト１の左右のバンドの先端部の重なり度合を調整することにより腰部に密着するように装着・固定することができる。腰部装着ベルト１の左右のバンドの先端部の固定は、例えば、面テープ、面ファスナー等の公知の構成により行うことができる。
【００３１】
本願発明の腰部装着ベルト１は、腰部に装着した後に締め付け度合の調整が可能な締め付け機構を備える。この締め付け機構は、腰部装着ベルト１の所定の位置に配置されたワイヤ巻き取り部２０と、ワイヤ巻き取り部２０と対向する位置に配置されたワイヤガイド部３０と、ワイヤ巻き取り部２０とワイヤガイド部３０の間を接続するワイヤ部５０とから構成されている。
【００３２】
図１９の構成例では、ワイヤ巻き取り部２０は、ワイヤガイド部３０のガイド部材３１によってガイドされたワイヤ部５０を巻き取るスプール部２１を備え、ワイヤガイド部３０は、ワイヤ部５０をガイドするガイド部材３１を備えている。スプール部２１がワイヤ部５０を巻き取ることにより、腰部装着ベルト１を装着した装着者２００の腰部を締め付けるように構成されている。
【００３３】
このような締め付け機構により、装着者２００は、スプール部２１を回転させるだけで締め付け度合の調整を行うことができるので、腰部装着ベルト１の左右のバンドの先端部を取り外して再度締め直すことなく、腰部に装着した後においても腰部装着ベルト１の締め付け度合の調整を簡単に行うことが可能となる。
【００３４】
また、腰部装着ベルト１では、ワイヤ巻き取り部２０とワイヤガイド部３０の間に、腰部装着ベルト１の他の部分に比べて柔軟性の高い素材からなるバンド部６０を配置するように構成することにより、スプール部２１がワイヤ部５０を巻き取った際に、柔軟性の高いバンド部６０が容易に収縮した状態となるので、腰部装着ベルト１の締め付け度合の調整をより容易に行うことができる。さらに、バンド部６０に柔軟性の高い素材を使用することで、バンド部６０が収縮・変形することによる装着者２００における装着感の悪化を防ぐこともできる。
【００３５】
図２０の構成例は、図１２の腰部装着ベルト１を装着者２００に装着したものである。図２０の腰部装着ベルト１は、ワイヤ巻き取り部２０とワイヤガイド部３０の間に、ワイヤガイド部４０を備える。ワイヤガイド部４０は、ワイヤ部５０をガイドするガイド部材（４１、４２）を備えている。
【００３６】
図２０の構成例においても、装着者２００は、スプール部２１を回転させるだけで締め付け度合の調整を行うことができるので、腰部装着ベルト１の左右のバンドの先端部を取り外して再度締め直すことなく、腰部に装着した後においても腰部装着ベルト１の締め付け度合の調整を簡単に行うことが可能となる。
【００３７】
図２０の腰部装着ベルト１では、ワイヤ巻き取り部２０とワイヤガイド部４０の間、及びワイヤガイド部３０とワイヤガイド部４０の間に、他の部分に比べて柔軟性の高い素材からなるバンド部６０が配置されている。
【００３８】
スプール部２１がワイヤ部５０を巻き取った際に、柔軟性の高いバンド部６０が容易に収縮した状態となるので、腰部装着ベルト１の締め付け度合の調整をより容易に行うことができる。さらに、バンド部６０に柔軟性の高い素材を使用することで、バンド部６０が収縮・変形することによる装着者２００における装着感の悪化を防ぐこともできる。
【００３９】
なお、図２１、２２に示すように、ワイヤ部５０を巻き取るスプール部２１を、ワイヤ部５０の先端を束ねて接続した係合部材２９とワイヤ部５０をガイドするガイド部材２８で構成し、この係合部材２９を引っ張った状態で腰部装着ベルト１に係合するように構成してもよい。係合部材２９の腰部装着ベルト１への係合は、面テープ、面ファスナー等の公知の構成により行うことができる。
【００４０】
＜背骨部材の連結部を備えた腰部装着ベルト＞
本願発明の腰部装着ベルト１は、腰部装着ベルト１単体で腰部に装着することもできるし、装着者の前屈動作をアシストする背骨部材を備えたアシストスーツ用の腰部装着ベルトとして用いることもできる。
【００４１】
背骨部材を備えたアシストスーツ用の腰部装着ベルトとして用いる場合、腰部装着ベルト１は、図２３−２６に示すように、アシストスーツの背骨部材１１０を連結するように構成してもよい。図２３−２６の構成例は、それぞれ図１２、１３、１、９の腰部装着ベルト１にアシストスーツの背骨部材１１０を連結部１２０を用いて連結したものである。
【００４２】
図２３、２４の構成例は、１本の背骨部材１１０を連結したものであり、図２５、２６の構成例は、２本の背骨部材１１０を連結したものである。図２３、２４の構成例において複数本の背骨部材１１０を連結してもよいし、図２５、２６の構成例において３本以上の背骨部材１１０を連結してもよい。
【００４３】
図２４、２６の構成例は、ワイヤ部５０やガイド部材（４１、２６）に干渉することなく、背骨部材１１０を腰部装着ベルト１連結することが可能な構成であり、スプール部２１におけるワイヤ部５０の巻き取り操作を容易に行うことができる構成である。
【００４４】
＜腰部装着ベルトを備えたアシストスーツの構成＞
図２７、２８を用いて、腰部装着ベルト１を備えたアシストスーツ１００の構成例を説明する。図２７の構成例は、図２４の腰部装着ベルト１を備えたアシストスーツ１００であり、図２８の構成例は、図２６の腰部装着ベルト１を備えたアシストスーツ１００である。
【００４５】
図２７、２８のアシストスーツ１００は、腰部装着ベルト１と、装着者の背中部に装着される背中部装着部１３０であって、装着者の背中部に固定するための肩ベルト１４０と、曲げ方向に対する弾性を有する部材からなる背骨部材１１０を備えた背中部装着部を備えている。肩ベルト１４０と、背骨部材１１０に連結された腰部装着ベルト１を用いて背骨部材１１０を装着者の背中部および腰部に密着・固定することによって、装着者の姿勢を矯正するとともに、装着者の前屈動作をアシストするアシストスーツ１００を構成することができる。
【００４６】
図２７、２８に図示したように、背骨部材１１０の装着者の背中部および腰部への密着度合を向上させるために、背中部装着部１３０に備えた腰ベルト１５０を装着者の前面において、腰部装着ベルト１に接続するように構成してもよい。
【００４７】
図２７、２８では、図２４、２６に示した腰部装着ベルト１を用いた構成例を説明したが、図２３、２５に示した構成例や他の腰部装着ベルト１を用いることができる。背骨部材１１０の本数や腰部装着ベルト１の構成を適宜選択することも可能である。
【００４８】
＜装着されたアシストスーツの構成例＞
図２９は、装着者に装着されたアシストスーツの構成例を示す図である。図２９の構成例は、図２７で説明したアシストスーツ１００を装着者２００に装着した状態を示すものである。
【００４９】
図２９の側面図に示すように、アシストスーツ１００の背中部装着部１３０の背骨部材１１０は、装着者２００の背中部から臀部に渡る縦長の形状を備え、装着者２００の背中部に沿って湾曲しており、曲げ方向に対する弾性を有する部材から構成されている。
【００５０】
背骨部材１１０を装着者２００の背中部に固定するための左右の肩ベルト１４０のそれぞれは、背中部装着部１３０の上部から装着者２００の前面を経由して背中部装着部１３０に接続され、左右の肩ベルト１４０の長さを調節することにより、背中部装着部１３０の背骨部材１１０を装着者２００の背中部に密着させることができる。
【００５１】
腰ベルト１５０は、一方の端部が、背中部装着部１３０に接続され、他方の端部が装着者の前面において腰部装着ベルト１に接続されることにより、背骨部材１１０を装着者２００の背中部と腰部により密着させることができる。腰ベルト１５０は、面テープ、面ファスナー等の接続手段によって腰部装着ベルト１に接続することができ、その接続位置は装着者の体形に応じて適宜変更することができる。
【００５２】
腰部装着ベルト１は、背骨部材１１０と連結するための連結部１２０を備え、この連結部１２０により背骨部材１１０と連結されている。腰部装着ベルト１を装着者２００に装着した状態で装着者２００の腰部を締め付けることにより、背骨部材１１０を装着者２００の腰部に確実に固定することができる。
【００５３】
このような構成の背骨部材１１０と肩ベルト１４０および腰部装着ベルト１と  必要に応じて腰ベルト１５０を備えることで、装着者２００の様々な体形に合わせて背骨部材１１０を装着者２００の背中部および腰部に密着させることができる。背骨部材１１０を装着者の背中部に密着させることで、装着者２００の背中部および腰部と背骨部材１１０が一体となり、装着者２００の姿勢を矯正するとともに、装着者２００の前屈動作をアシストするアシストスーツを構成することが可能となる。
【００５４】
背骨部材１１０と連結された腰部装着ベルト１を装着者２００の腰部に確実に固定することにより、装着者２００が前屈動作を行った際の背骨部材１１０の上下方向のずれを防止することができるので、腰部装着ベルト１が無い構成と比較して、装着者２００の前屈動作をアシストする効果をさらに高めることが可能となる。
【００５５】
さらに、アシストスーツ１００の腰部装着ベルト１では、ワイヤ巻き取り部、ワイヤガイド部、ワイヤ巻き取り部、ワイヤガイド部の間を接続するワイヤ部から構成される締め付け機構を備えているので、アシストスーツ１００を装着した装着者２００が所定の作業や動作を行ったこと等により、腰部装着ベルト１の腰部への密着度合が変更されたような場合等においても、腰部装着ベルト１の左右のバンドの先端部を取り外して再度締め直すことなく、腰部に装着した状態で腰部装着ベルト１の締め付け度合の調整を簡単に行うことができる。
【００５６】
本願発明の実施形態の腰部装着ベルトは、スプール部を備えたワイヤ巻き取り部とワイヤガイド部、ワイヤ巻き取り部とワイヤガイド部の間を接続するワイヤ部を備えた締め付け機構を備えるように構成されている。このような構成により、腰部装着ベルトの装着者は、ワイヤ巻き取り部のスプール部を回転させるだけで締め付け度合の調整を行うことができるので、腰部装着ベルトの腰部への密着度合が変更されたような場合等においても、腰部装着ベルトを取り外して再度締め直すことなく、腰部に装着した後においても締め付け度合の調整を簡単に行うことが可能となる腰部装着ベルトを提供することができる。
【００５７】
また、ワイヤ巻き取り部とワイヤガイド部の間に、腰部装着ベルトの他の部分に比べて柔軟性の高い素材からなるバンド部を配置することで、スプール部がワイヤ部を巻き取った際に、柔軟性の高いバンド部が容易に収縮した状態となり、腰部装着ベルトの締め付け度合の調整をより簡単に行うことが可能となる。さらに、バンド部に柔軟性の高い素材を使用することで、バンド部が収縮・変形することによる装着者における腰部装着ベルトの装着感の悪化を防ぐことも可能となる。
【符号の説明】
【００５８】
１…腰部装着ベルト、１０…締め付け機構、２０…ワイヤ巻き取り部、２１…スプール部、２２−２８…ガイド部材（第２のガイド部材）、２９…係合部材、３０…ワイヤガイド部（第１のワイヤガイド部）、３１−３５…ガイド部材（第１のガイド部材）、４０…ワイヤガイド部（第２のワイヤガイド部）、４１−４４…ガイド部材（第３のガイド部材）、５０…ワイヤ部、６０…バンド部、１００…アシストスーツ、１１０…背骨部材、１２０…連結部、１３０…背中部装着部、１４０…肩ベルト、１５０…腰ベルト、２００…装着者。
【図１】
2020143401.tif 000003
【図２】
2020143401.tif 000004
【図３】
2020143401.tif 000005
【図４】
2020143401.tif 000006
【図５】
2020143401.tif 000007
【図６】
2020143401.tif 000008
【図７】
2020143401.tif 000009
【図８】
2020143401.tif 000010
【図９】
2020143401.tif 000011
【図１０】
2020143401.tif 000012
【図１１】
2020143401.tif 000013
【図１２】
2020143401.tif 000014
【図１３】
2020143401.tif 000015
【図１４】
2020143401.tif 000016
【図１５】
2020143401.tif 000017
【図１６】
2020143401.tif 000018
【図１７】
2020143401.tif 000019
【図１８】
2020143401.tif 000020
【図１９】
2020143401.tif 000021
【図２０】
2020143401.tif 000022
【図２１】
2020143401.tif 000023
【図２２】
2020143401.tif 000024
【図２３】
2020143401.tif 000025
【図２４】
2020143401.tif 000026
【図２５】
2020143401.tif 000027
【図２６】
2020143401.tif 000028
【図２７】
2020143401.tif 000029
【図２８】
2020143401.tif 000030
【図２９】
2020143401.tif 000031